(57)【特許請求の範囲】
【請求項１】
ベースの上部に遊戯球が通過するガイド孔を備えたゲートと、該ガイド孔の直下のベースに通過した遊戯球を左又は右に誘導する流路を形成した流路変更板とを備えた流路変更板付ゲートであって、
該流路変更板を表向き又は裏向きとして取付けることにより左向き又は右向き流路を構成すると共に、表向き又は裏向きの双方の前記流路変更板を嵌合しうる凹部を前記ベースの前記ゲート下方に設けた流路変更板付ゲートを備えたことを特徴とするパチンコ機。
【発明の詳細な説明】
【０００１】
【発明の属する技術分野】
この発明はパチンコ機の従来機、ＣＲ機等の遊戯板面に設けてあるゲートを通過する遊戯球の流路を左、又は右に変更できる流路変更板付ゲートを設けたパチンコ機に関する。
【０００２】
【従来の技術】
パチンコ機の従来機、ＣＲ機では図７に示すようにセンター液晶デジタル装置Ｄの両側、或いは片側、に設けたゲート１０２を遊戯球が通過すると、スタートチャッカーの開閉時間を決めるミニデジタル器Ｂの数字が変動し、所定の数字、例えば、３、７で止まると、センター液晶デジタル装置Ｄの下方の中央スタートチャッカーＣが所定時間開放され、そのチャッカーに遊戯球が入賞するとセンター液晶デジタル装置Ｄに表示された数字、絵等図柄が変動して停止し、大当たりすると下部のアタッカーＥが所定時間開放されるものがある。
【０００３】
この従来のミニデジタル器の始動用のゲート１０２は、ベース１０１に断面コ字型飾り盤を設けて遊戯球を通過させる円形のガイド孔を設けた近接スイッチを取付けただけのものが大半で、その場合にはそのガイド孔の下方に球を斜めに流出させるように釘１０３を山型に並べて配置し、それから中央スタートチャッカーＣの方へ遊戯球を導くために多数の釘１０４を一列に細かく隣接して配列してある。
【０００４】
【発明が解決しようとする課題】
従来のゲートでは、ゲートの下方に釘を山型に設け、又ガイド孔から落下する球がガイド孔の下方の山型に配置した釘に当たってその衝撃で球速が減速してしまい、球が釘の隙間より落下しようとするので、中央スタートチャッカーの方へ遊戯球を導くために多数の釘を細かく隣接して配列して球が釘に沿って転動するようにしなければならず、ゲートの下方に山型に釘の位置を決めて打つのに手間がかかり、多数隣接する釘を並べること、釘の間隔のゲージ調整も面倒で手間がかかり、釘を中央チャッカーに向けて両側よりＶ字状に並べるため、球の動き、外観が貧弱で興趣を欠き、しかも図のように遊戯盤の中央部で釘を斜め一列に隣接して設けると球の落ちる隙間がなく、他から転動する打球までもがこの一列の釘で受け止められてしまい、下方の入賞球受入れ口には球が回りにくく興味をそがれていた。
【０００５】
この発明はこのような問題点を解決するもので、遊戯球が通過するゲートの下方に流路変更板を設けて、ゲートを通過する遊戯球を流路に沿って左又は右への流れに勢いをつけさせ、その勢いで中央チャッカーの方に転動させて興味を増大するパチンコ機を提供することを目的とする。
【０００６】
【課題を解決するための手段】
この発明の請求項１のパチンコ機は、ベース（１）の上部に遊戯球が通過するガイド孔（３）を備えたゲート（２）と、該ガイド孔（３）の直下のベース（１）に通過した遊戯球を左又は右に誘導する流路（５）を形成した流路変更板（４）とを備えた流路変更板付ゲートであって、
該流路変更板（４）を表向き又は裏向きとして取付けることにより左向き又は右向き流路を構成すると共に、表向き又は裏向きの双方の前記流路変更板を嵌合しうる凹部（２１）を前記ベースの前記ゲート下方に設けた流路変更板付ゲートを備えたことを特徴とするものである。
【０００７】
この第１の発明の構成によれば、流路変更板の上面に遊戯球を横方向に方向付けして排出する手段として複数の誘導凹溝を設けたことにより球を左又は右への流れに勢いをつけて流出でき、遊戯球を横方向に方向付けし、その勢いで中央チャッカーの方に転動させることができる。左向き又は右向きの流路変更板をベースの凹部２１に嵌合させて位置決めして取付ける。
【０００８】
【発明の実施の形態】
この発明の実施の形態はパチンコ機の遊戯盤Ａのセンター液晶デジタルＤの左右対称位置にベース１の上部にガイド孔３を有する近接スイッチ６を備えたゲート２を設け、そのガイド孔３の直下のベース１に左向き又は右向きに遊戯球を誘導する傾斜状、円弧状の流路５を形成した流路変更板４を着脱可能に取付けて、ゲート２のガイド孔３を通過する遊戯球を流路変更板４の湾曲面が滑り台状となって左又は右に勢いをつけて排出し、中央スタートチャッカーＣの方へ遊戯球を勢いをつけて導くようにする。
【０００９】
従って、この流路変更板付ゲートをセンター役物の両側又は片側に備えれば、遊戯球がガイド孔３を通過すると近接スイッチ６が働いて、ミニデジタル器の数字が変動し、所定の数字、例えば３、７で止まると、センター役物の下方の中央スタートチャッカーが所定時間、例えば約０．２秒ないし約２秒開放され、前記ガイド孔３を通過した遊戯球が流路変更板で流出方向を中央スタートチャッカーの方へ変えて勢いよく流出し、前記の開放されたスタートチャッカーに入賞すると、役物、例えばセンター液晶デジタルが作動し、絵、数字等図柄が停止し、大当りすると下方のアタッカーが約３０秒開放される。
【００１０】
この流路変更板４には落下する球を横方向に方向ずけして排出する手段として上面に複数の誘導凹溝を設ける。また、ベース１の左右対称位置に左向き又は右向き変更板を取付ける位置決め手段と取付け手段として、ベース１の左右対称位置に突起７と取着け孔８をそれぞれ設け、流路変更板４にそれに合致する嵌合孔９と取付け孔１０を設けておけば、左向き又は右向き変更板をベース１に位置決めして取付けることができる。
【００１１】
流路変更板４′は遊戯球を一方向に誘導する流路５′を形成したものを一種類製作し、それを表又は裏として取付けることで、左向き又は右向きの流路を形成し、ゲート２のガイド孔３を通過する遊戯球を左又は右に排出するようになす。従って、該変更板４′をベース１の左右対称位置に左向き又は右向きに取付けるため突起７と取着け孔８をそれぞれ設け、流路変更板４′にそれと合致する嵌合孔９と取付け孔１０を設けておけば、表向き又は裏向きとした流路変更板４′をベース１に位置決めして取付けることができる。また、ベース１のゲート２の下方に左向きと右向きの流路変更板の両方の形状に合う円弧状の凹部２１を設け、左向き又は右向きの流路変更板をその凹部２１に嵌合させて位置決めして取付けるようにしても良い。
【００１２】
【実施例】
以下にこの発明を図面に示す実施例に基づいて説明する。
図１乃至図４において、１は合成樹脂製ベースで、その上部に近接スイッチ用の貫通孔１１、ゲート２用の取付け孔１２、ベースの取付け孔１３、流路変更板４用の突起７、取付け孔８を設ける。２は上部の断面コ字形部に遊戯球が通過する円形のガイド孔３を有し、遊戯球の通過を検知してスタートチャッカーＣの開閉を決めるデジタル器Ｂにスタート信号を送る近接スイッチ６を挿入設置したゲートで、コ字形部の前面に合成樹脂製飾り板１４と両側に円弧状覆い板１５を一体形成してある。前記ベース１は全体をレンズ板とするか、ゲート下方の中央をレンズ板１６とし、また、前面飾り板１４はレンズとしてベースの後方よりＬＥＤ等の照明具１７により照明できるようにする。
【００１３】
４はガイド孔３の直下のベース１に着脱可能に設けた遊戯球を左又は右に誘導する流路５を形成した合成樹脂製流路変更板である。実施例では、流路変更板の流路５は球より広い巾で上面を傾斜状、湾曲状、例えば「ノ」型、「Ｊ」型に形成してガイド孔３から落下する球を円弧状曲面で左又は右に勢いを付けて流出させるようにする。流路５の上面は球を横方向へ流出させるために上面の中央付近から端面までに数条の誘導凹溝５ａを形成し、凹溝に沿って球が横方向に流れるようにしてある。この流路変更板４のベース１への取付けはベース１の下方の左右対称位置にそれぞれ左向き又は右向き変更板用の一対の突起７と取付け孔８を設け、湾曲状流路変更板４にはその背面の左右対称位置に嵌合孔９と取付け孔１０を設けて、左向き又は右向きの流路変更板４の嵌合孔９をベース１の突起７に嵌合し、取付け孔８、１０にビス１８を螺合して固定するようにしてある。
【００１４】
４′は同じく合成樹脂製湾曲状流路変更板で、上面に遊戯球を一方向に誘導する流路５′を形成し、流路５’の上面には球を横方向へ流出させるために上面の中央付近から端面までに数条の誘導凹溝５ａを形成し、凹溝に沿って球が横方向に流れるようにしてある。それを表又は裏に変換して左向き又は右向きとして、前記と同様に取付ける。この湾曲状流路変更板４′では表と裏に凹部１９を設け、いずれが正面になってもその凹部１９にシール２０を貼付けてビスを隠すようにしてある。
【００１５】
図４に示すように、ベース１のゲート２の直下に左向きと右向きの流路変更板４、４′の両方を嵌合できる円弧状の凹陥部２１を設け、左向き又は右向きの流路変更板をその凹陥部２１の左側又は右側寄りに嵌合させて位置決めして取付けるようにしてもよい。
【００１６】
図５において、Ａは遊戯盤、Ｂはミニデジタル器、Ｃは中央スタートチャッカー、Ｄはセンター液晶デジタル装置、Ｅはアタッカーである。ゲートとチャッカー間の釘２２は図のように斜めに多少ずらせ、かつ釘の間隔は球が通る間隔にずらせて配列でき、釘の配置のデザインに変化をもたせることができる。釘の間隔はこれに限られるものではなく、従来のように隣接して配列してもよい。
【００１７】
この発明によれば、遊戯球がゲート２を通過して落下するとき、近接スイッチ６が働いてミニデジタル器Ｂの数字が変動し、所定の数字、例えば３、７で止まると、中央スタートチャッカーＣが決められた時間、例えば約０．２秒ないし約２秒開放される。ゲート２を通過した遊戯球は左又は右向きの流路変更板４、４′上に落下し、その「ノ」「Ｊ」型等の湾曲面、傾斜面、数条の誘導凹溝で遊戯球に勢いを付けて横方向へ流出させ、球の勢いで釘２２に当って跳ねて中央スタートチャッカーＣの方へ向わせ、而して、このチャッカーの方へ向わせた遊戯球が時間開放された中央スタートチャッカーＣに入賞すると、センター液晶デジタルの図柄が作動し、左→右→中の順で停止して図柄が停止し、その図柄が３個揃うと大当りとなり、下方のアタッカーＥが３０秒間開放される。
【００１８】
又、ゲート２とチャッカー間の釘２２はゲート２からの遊戯球を流路変更板で勢いを付けて流出させるので、ある程度の間隔をあけても釘に当って跳ねてチャッカーの方へ向わせることができ、又他から落下する勢いのない球は間隔をあけた釘間から下方へ流れ、下方の入賞球受入口の方へ回って入賞する機会が増加し、遊戯球の入賞のチャンスを変化に富ませることができ、遊戯者の興趣を増大できる。
【００１９】
【発明の効果】
この発明のパチンコ機によると、流路変更板付きゲートには、ベースのガイド孔の直下には左向き又は右向きの流路を設けた流路変更板が取付けられ、ガイド孔から落下する遊戯球を左又は右へ勢いを付けて流出できるので、遊戯者の興味を増大することができ、左向き又は右向きの流路変更板をベースの凹部に嵌合させて位置決めして取付けることができる。
【図面の簡単な説明】
【図１】この発明の流路変更板付ゲートの正面図である。
【図２】同平面図である。
【図３】同側断面図である。
【図４】流路変更板とシートの斜視図である。
【図５】ゲートと、左向きと右向き流路変更板の分解斜視図である。
【図６】この発明の流路変更板付ゲートを取付けたパチンコ遊戯盤の正面図である。
【図７】従来のゲートを備えたパチンコ遊戯盤の正面図である。
【符号の説明】
１…ベース、２…ゲート、３…ガイド孔、４…流路変更板、４′…流路変更板、５…流路、５′…流路、５ａ…誘導凹溝
【図１】
0003959005.tif 000002
【図２】
0003959005.tif 000003
【図３】
0003959005.tif 000004
【図４】
0003959005.tif 000005
【図５】
0003959005.tif 000006
【図６】
0003959005.tif 000007
【図７】
0003959005.tif 000008